(57)【特許請求の範囲】
【請求項１】
外形が平皿状のシャワーヘッドが取付部材によって浴室の天井パネルの下面に固定されるシャワー装置であって、
前記取付部材は、前記天井パネルの下面に固定される平板状の取付板部と、この取付板部に立ち上がり状に形成され前記天井パネルの取付孔内に挿入される導水管部と、この導水管部の内面に形成されたねじ部とによって形成され、
前記シャワーヘッドは、複数の散水孔が形成された皿状のヘッド本体と、このヘッド本体の上部に被せられて組み付けられる板状の蓋カバーと、この蓋カバーに立ち上がり状に形成され前記導水管部と連通する導水筒部と、この導水筒部の外面に形成されたねじ部とによって形成され、
前記蓋カバーの上面に前記取付板部が入り込む凹部が形成され、
前記取付板部を前記天井パネルの下面に当接させて固定ねじにより固定した状態で前記導水筒部のねじ部を前記導水管部のねじ部に螺合させて前記シャワーヘッドを天井パネルの下面に固定することを特徴とするシャワー装置。
【発明の詳細な説明】
【技術分野】
【０００１】
本発明は、浴室内に設けられるシャワー装置に関し、特にシャワーヘッドの下方への突出量を抑制して背の高い使用者であっても好適に使用することができるシャワー装置に関する。
【背景技術】
【０００２】
特許文献１には、プール等の施設に設けられる従来のシャワー装置が開示されている。このシャワー装置は複数のシャワーヘッドを配水管に取り付ける構造となっており、それぞれのシャワーヘッドを個々の使用者が使用するようになっている。各シャワーヘッドは配水管から下方に延びており、使用者はそれぞれのシャワーヘッドの下に入ってシャワーを行う。
【０００３】
しかしながら、シャワーヘッドが下方に延びていることから、背の高い使用者は頭がシャワーヘッドに干渉し易く、腰を曲げてシャワーを行う必要があり、不便となっている。同様にホテル等の浴室のシャワー装置であっても、シャワーヘッドが下方に延びている場合には、背の高い使用者に対し不便となっている。
【０００４】
以上のことから、ホテル等においては、シャワーヘッドを平皿状（ペンダント状）に形成し、このシャワーヘッドを浴室の天井パネルに取り付けることが考えられる。これによりシャワーヘッドの下方への突出量が少なくなり、背の高い使用者が便利に使用することができる。
【先行技術文献】
【特許文献】
【０００５】
【特許文献１】特開２０１２−２１０２４２号公報
【発明の概要】
【発明が解決しようとする課題】
【０００６】
しかしながら、平皿状のシャワーヘッドは取り付けのための面積が大きくなるため、天井パネルへの取り付けの際には多くのねじを使用して天井パネルに固定する必要がある。このため、平皿状のシャワーヘッドの取り付けが面倒であり、取り付けに労力を要する問題がある。
【０００７】
本発明は、シャワーヘッドが平皿状であっても、多くのねじを必要とすることなく省労力で天井パネルへの固定を簡単に行うことが可能なシャワー装置を提供することを目的とする。
【課題を解決するための手段】
【０００８】
本発明は、外形が平皿状のシャワーヘッドが取付部材によって浴室の天井パネルの下面に固定されるシャワー装置であって、前記取付部材は、前記天井パネルの下面に固定される平板状の取付板部と、この取付板部に立ち上がり状に形成され前記天井パネルの取付孔内に挿入される導水管部と、この導水管部の内面に形成されたねじ部とによって形成され、前記シャワーヘッドは、複数の散水孔が形成された皿状のヘッド本体と、このヘッド本体の上部に被せられて組み付けられる板状の蓋カバーと、この蓋カバーに立ち上がり状に形成され前記導水管部と連通する導水筒部と、この導水筒部の外面に形成されたねじ部とによって形成され、前記蓋カバーの上面に前記取付板部が入り込む凹部が形成され、前記取付板部を前記天井パネルの下面に当接させて固定ねじにより固定した状態で前記導水筒部のねじ部を前記導水管部のねじ部に螺合させて前記シャワーヘッドを天井パネルの下面に固定することを特徴とする。
【発明の効果】
【００１０】
本発明によれば、取付部材の取付板部を固定ねじによって天井パネルの下面に固定した状態でシャワーヘッドの導水筒部を取付部材の導水管部に螺合させることにより平皿状のシャワーヘッドを天井パネルの下面に固定することができる。この構造では、取付板部を天井パネルの下面に固定し、取付部材にねじ込むことによって平皿状のシャワーヘッドを固定するため、シャワーヘッドを天井パネルにねじ止めする必要がなくなる。このため、平皿状のシャワーヘッドであっても多くのねじを必要とすることなく省労力で天井パネルへ固定することができる。
【図面の簡単な説明】
【００１１】
【図１】本発明の一実施形態のシャワー装置の分解斜視図である。
【図２】シャワー装置の組み付け状態の斜視図である。
【図３】シャワー装置の断面図である。
【図４】取付部材を天井パネルに固定する状態を示す断面図である。
【図５】シャワー装置を天井パネルの下面に取り付けた状態を示す斜視図である。
【発明を実施するための形態】
【００１２】
図１〜図５は、本発明の一実施形態のシャワー装置１を示す、シャワー装置１は、取付部材２とシャワーヘッド３とを備えており、シャワーヘッド３が取付部材２を介して浴室の天井パネル４に取り付けられる。
【００１３】
取付部材２は平板状の取付板部１１と、取付板部１１から立ち上がり状となって一体に形成された導水管部１５とによって形成されている。取付部材２の全体は、青銅やステンレス等の耐錆性金属によって形成される。
【００１４】
取付板部１１は円形の平板状に形成されており、図４に示すように、天井パネル４の下面１４に当接した状態で同パネル４の下面１４に固定される。シャワーヘッド３はこの取付板部１１を介して天井パネル４に固定される。取付板部１１を天井パネル４に固定するため、取付板部１１には、固定ねじ５が貫通するねじ用孔１９が複数形成されている。取付板部１１の全体はシャワーヘッド３よりも小径となっており、このため、シャワーヘッド３を天井パネル４に取り付けるよりも少ない数のねじによる固定が可能となり、天井パネル４への固定を簡単に行うことができる。
【００１５】
導水管部１５は取付板部１１から立ち上がり状に形成される。導水管部１５には、湯水が通過する空洞部１８が軸方向に貫通している。かかる導水管部１５の内面には、雌ねじからなるねじ部１６が形成されており、このねじ部１６によってシャワーヘッド３が固定される。導水管部１５は天井パネル４に形成された取付孔１７内に挿入される。この挿入によって取付板部１１が天井パネル４の下面１４に当接し、この当接状態で固定ねじ５を天井パネル４にねじ込むことにより取付板部１１が天井パネル４の下面１４に固定される。なお、導水管部１５の外径は天井パネル４の取付孔１７内に挿入可能なように設定されるものである。
【００１６】
導水管部１５には、ノズル部１２が取り付けられる。ノズル部１２は空洞部１３が貫通した樹脂パイプによって形成されている。ノズル部１２はその下端部が導水管部１５に差し込まれることにより導水管部１５に連結され、この連結によって空洞部１３が導水管部１５の空洞部１８と連通して湯水の供給が可能となる。かかるノズル部１２は天井パネル４の上方に配管された配水管（図示省略）に接続され、配水管からの湯水が供給される。
【００１７】
図２及び図３に示すように、シャワーヘッド３は外形が円形となった厚みの少ない平皿状に形成されている。図１及び図３に示すように、シャワーヘッド３は下側のヘッド本体２１と、上側の蓋カバー２２とを有している。
【００１８】
ヘッド本体２１は円形の皿状に形成されており、そのフェイス面（下面）２３には、湯水を散水するための散水孔２４が複数形成されている。蓋カバー２２はヘッド本体２１の上部を覆うものであり、円形の板状に形成されてヘッド本体２１の上部に被せられるようにヘッド本体２１に組み付けられる。蓋カバー２２をヘッド本体２１に被せることによりヘッド本体２１内に供給された湯水の漏れ出しを防止することができる。
【００１９】
この実施形態において、シャワーヘッド３の内部には、緩衝板２５が配置される（図１参照）。緩衝板２５はヘッド本体２１の内部に挿入可能な円形の板材によって形成されており、ヘッド本体２１の散水孔２４よりも小径孔部２６が複数形成されている。緩衝板２５はヘッド本体２１の上面に形成された小凸部２７（図１参照）に支持されることによりヘッド本体２１の内部で浮き上がり状となって支持される。このような緩衝板２５をヘッド本体２１内に配置することにより、シャワーヘッド３内に導入された湯水をヘッド本体２１の全体に分散させることができる。これにより湯水が偏在することなく、ヘッド本体２１の全面に分散するため湯水を均一に散水することができる。なお、蓋カバー２２は組付けねじ２８によってヘッド本体２１に組み付けられる。
【００２０】
蓋カバー２２には、導水筒部３１が形成される。導水筒部３１は蓋カバー２２のほぼ中心部分から立ち上がった空洞の筒体によって形成されており、その外面には、雄ねじからなるねじ部３２が形成されている。導水筒部３１は取付部材２の導水管部１５の内部に挿入可能な径に形成されており、導水筒部３１が導水管部１５に挿入されることにより内部が導水管部１５の空洞部１８と連通する（図３参照）。この連通によって導水筒部３１内に湯水が供給される。これにより導水筒部３１を介してシャワーヘッド３内に湯水が供給される。雄ねじからなる導水筒部３１のねじ部３２は、雌ねじからなる導水管部１５のねじ部１６に螺合し、この螺合によってシャワーヘッド３が取付部材２に取り付けられる。ここで、導水筒部３１のねじ部３２には、シールテープ巻きが施されており、これにより導水管部１５のねじ部１６との間のシールがなされ、ねじ部３２、１６の螺合部分からの水漏れが防止されている。
【００２１】
以上に加えて、蓋カバー２２の上面には、凹部３５が形成されている。凹部３５は蓋カバー２２の上面における導水筒部３１の周囲を円形に窪ませることにより形成されるものであり、その径は取付部材２の取付板部１１とほぼ同等となっている。シャワーヘッド３を取付部材２に取り付ける際に、取付部材２の取付板部１１がこの凹部３５に入り込む。これにより、取付板部１１の厚さを吸収することができ、シャワーヘッド３の下方への突出量を削減することができ、美観が向上する。
【００２２】
次に、この実施形態のシャワー装置１の天井パネル４への取り付け操作を説明する。取付部材２及びシャワーヘッド３の各部材を組み付けて取付部材２及びシャワーヘッド３を形成する。その後、図４に示すように、取付部材２の導水管部１５を天井パネル４の取付孔１７に下方から挿入し、取付板部１１を天井パネル４の下面１４に当接させる。そして、固定ねじ５を取付板部１１のねじ用孔１９から天井パネル４にねじ込んで取付部材２を天井パネル４の下面１４に固定する。
【００２３】
図４はこの状態を示し、この取付部材２に対してシャワーヘッド３を取り付ける。この取り付けは、導水筒部３１のねじ部３２を取付部材２の導水管部１５のねじ部１６に螺合させるだけで簡単に行うことができる。そして、導水筒部３１を導水管部１５にねじ込むことにより、湯水がノズル部１２、導水管部１５及び導水筒部３１を介してシャワーヘッド３に流入することができ、シャワー散水が可能となる。図５は以上により天井パネル４の下面１４にシャワー装置１を固定した状態を示す。平皿状のシャワーヘッド３を用いるため、下方への延び量が少なく、背の高い使用者であってもシャワーを使用し易くなっている。
【００２４】
このような実施形態では、固定ねじ５によって取付部材２の取付板部１１天井パネル４の下面１４に固定し、その後、シャワーヘッド３の導水筒部３１を取付部材２の導水管部１５に螺合させることにより平皿状のシャワーヘッド３を天井パネル４の下面１４に固定することができる。この構造では、取付板部１１を天井パネル４の下面１４に固定し、取付部材２の導水管部１５に導水筒部３１をねじ込むことによって平皿状のシャワーヘッド３を固定するため、シャワーヘッド３を天井パネル４にねじ止めする必要がなくなる。このため、平皿状のシャワーヘッド３であっても多くのねじを必要とすることなく省労力で天井パネル４へ固定することができる。
【符号の説明】
【００２５】
１  シャワー装置
２  取付部材
３  シャワーヘッド
４  天井パネル
５  固定ねじ
１１  取付板部
１５  導水管部
１６  ねじ部
２１  ヘッド本体
２２  蓋カバー
２４  散水孔
３１  導水筒部
３２  ねじ部
３５  凹部
【図１】
0006574103.tif 000002
【図２】
0006574103.tif 000003
【図３】
0006574103.tif 000004
【図４】
0006574103.tif 000005
【図５】
0006574103.tif 000006